(57)【要約】【課題】構造が簡単な扉用ハンドルの提供を目的とする。【解決手段】扉１開放操作時の手掛け部を提供する扉用ハンドル２であって、  意匠面の一部または全部を構成し、表面に認証情報入力指示部３が配置されたカバー体４をハンドル本体部５の表面に連結して形成され、  前記カバー体４に形成されるユニットベース部６の表裏面に認証装置の回路基板を含む複数の構成部品７を固定するとともに、  カバー体４の表面には、前記ユニットベース部６の外部からの目視を規制する目隠し用プレート８が固定される。【選択図】  図６
2020033736.tif 000002
【特許請求の範囲】
【請求項１】
扉開放操作時の手掛け部を提供する扉用ハンドルであって、
意匠面の一部または全部を構成し、表面に認証情報入力指示部が配置されたカバー体をハンドル本体部の表面に連結して形成され、
前記カバー体に形成されるユニットベース部の表裏面に認証装置の回路基板を含む複数の構成部品を固定するとともに、
カバー体の表面には、前記ユニットベース部の外部からの目視を規制する目隠し用プレートが固定される扉用ハンドル。
【請求項２】
前記目隠し用プレートが認証情報入力指示部を構成する請求項１記載の扉用ハンドル。
【請求項３】
前記構成部品には、前記目隠し用プレートを兼ねるテンキーパネルと、
前記ユニットベース部の背面壁に固定され、該ユニットベース部に開設された導光開口から発光光をテンキーパネルに照射し、該テンキーパネルに所定の認証用符号を表示させるＬＥＤスイッチ基板と、
前記ユニットベース部の正面側壁面に固定され、前記テンキーパネルへの接触を検出するセンサ基板とが含まれる請求項１記載の扉用ハンドル。
【請求項４】
前記ハンドル本体部は、中央部にグリップ部を備え、
かつ、前記認証情報入力指示部は、グリップ部を握った際に利用者の親指で操作可能な範囲に配置される請求項１、２または３記載の扉用ハンドル。
【請求項５】
一端部が扉に回転自在に連結され、他端部にラッチ解除部を備えた請求項１から４のいずれかに記載の扉用ハンドルと、
扉内に固定され、前記扉用ハンドルの認証装置における認証成立を条件に解錠状態に移行する電気錠とを有し、
認証成立後に扉用ハンドルを回転操作して電気錠のラッチ解除操作を行う扉用錠装置。
【発明の詳細な説明】
【技術分野】
【０００１】
本発明は、扉用ハンドルに関するものである。
【背景技術】
【０００２】
認証部を組み込んだ扉用ハンドルとしては、特許文献１に記載されるものが知られている。この従来例において、室外側のグリップにはＩＣカードの情報を読み取るリーダ基板、あるいはアンテナ基板が各々インナーカバーに固定されてユニット化された状態でグリップカバーに固定される。
【先行技術文献】
【特許文献】
【０００３】
【特許文献１】特開２０１５-６８００７号公報
【発明の概要】
【発明が解決しようとする課題】
【０００４】
しかし、上述した従来例において、各部品はグリップカバーの裏面のみに固定されるために、固定面が狭くなり、結果、各々の要素をユニット化してグリップカバーに固定する必要が生じるために、構造が複雑になり、かつ、部品点数も増加するという問題がある。
【０００５】
本発明は、以上の欠点を解消すべくなされたものであって、構造が簡単な扉用ハンドルの提供を目的とする。
【０００６】
また、本発明の他の目的は、上記扉用ハンドルを利用した扉用錠装置の提供にある。
【課題を解決するための手段】
【０００７】
本発明によれば上記目的は、
扉１開放操作時の手掛け部を提供する扉用ハンドル２であって、
意匠面の一部または全部を構成し、表面に認証情報入力指示部３が配置されたカバー体４をハンドル本体部５の表面に連結して形成され、
前記カバー体４に形成されるユニットベース部６の表裏面に認証装置の回路基板を含む複数の構成部品７を固定するとともに、
カバー体４の表面には、前記ユニットベース部６の外部からの目視を規制する目隠し用プレート８が固定される扉用ハンドル２を提供することにより達成される。
【０００８】
本発明において、造形用部材であるカバー体４にはユニットベース部６が形成され、認証装置の構成部品７の一部、または全部品は、ユニットベース部６をユニット基板として、表裏両面に固定される。カバー体４の表裏面を実装面として使用することにより、実装面積を広くとることができるために、適数部品をユニット化することなく、直接固定でき、構造が簡単になる。
【０００９】
また、ユニットベース部６の表面壁に搭載された部品は目隠し用プレート８により覆われて外部の視界から遮られるために、意匠的違和感の発生が防がれる。
【００１０】
この場合、前記目隠し用プレート８が認証情報入力指示部３となる扉用ハンドル２を構成すると、機能的必要部分によりユニットベース部６を覆いかくすことができるために、意匠的な違和感もよりなくすことができる。
【００１１】
この場合、認証装置としては、暗証符号認証装置、カード認証装置、指紋認証装置、あるいは静脈認証装置を採用することが可能であり、認証情報入力支持部としては、暗証符号入力部、指紋、静脈等の読み取り部、カード認証のカード読み取り部等とすることができる。
【００１２】
暗証符号認証装置を組み込む場合には、
前記構成部品７には、前記目隠し用プレート８を兼ねるテンキーパネル９と、
前記ユニットベース部６の背面壁に固定され、該ユニットベース部６に開設された導光開口１０から発光光をテンキーパネル９に照射し、該テンキーパネル９に所定の認証用符号を表示させるＬＥＤスイッチ基板１１と、
前記ユニットベース部６の正面側壁面に固定され、前記テンキーパネル９への接触を検出するセンサ基板１２とが含まれる扉用ハンドル２を構成することができる。
【００１３】
また、前記ハンドル本体部５は、中央部にグリップ部１３を備え、
かつ、前記認証情報入力指示部３は、グリップ部１３を握った際に利用者の親指で操作可能な範囲に配置される扉用ハンドル２を構成すると、グリップ部１３を握った状態で親指で認証装置の入力部にアクセスし、認証成立後にそのままグリップ部１３を操作することにより扉１の開放操作を行うことができるために、操作性が向上する。
【００１４】
さらに、上記扉用ハンドル２による扉用錠装置は、
一端部が扉１に回転自在に連結され、他端部にラッチ解除部１４を備えた扉用ハンドル２と、
扉１内に固定され、前記扉用ハンドル２の認証装置における認証成立を条件に解錠状態に移行する電気錠１５とを有し、
認証成立後に扉用ハンドル２を回転操作して電気錠１５のラッチ解除操作を行うように構成することができる。
【図面の簡単な説明】
【００１５】
【図１】本発明の扉用錠装置を示す正面図である。
【図２】図１の２Ａ-２Ａ線断面図である。
【図３】扉用ハンドルの分解斜視図である。
【図４】カバー体ユニットの分解斜視図である。
【図５】カバー体を示す図で、（ａ）は正面図、（ｂ）は側面図である。
【図６】カバーユニットの要部断面図で、（ａ）は図５（ａ）の６Ａ-６Ａ線に対応する図、（ｂ）は図５（ａ）の６Ｂ-６Ｂ線に対応する図である。
【図７】扉用錠装置の使用状態を示す正面図である。
【発明を実施するための形態】
【００１６】
図１以下に示すように、扉用錠装置は、扉１の室外側表面に固定される屋外側ハンドル装置１６と、屋内側表面に固定される屋内側ハンドル装置１７と、扉１内に固定される主錠１５Ａと副錠１５Ｂとから構成される電気錠１５とを有する（図２参照）。
【００１７】
屋外側ハンドル装置１６には認証装置の入力装置が組み込まれており、入力装置から取得した認証情報に対する認証が成立すると、後述する上下部ハンドルベース１８、１９に対応して配置される主錠１５Ａ、および主錠１５Ａの動作に連動する副錠１５Ｂが解錠状態に移行し、次いで、扉用ハンドル２を手前に引くことにより副錠１５Ｂのラッチが解除されて扉１を開くことができる。
【００１８】
また、屋内側ハンドル装置１７には図外のサムターン装置等が組み付けられており、主錠１５Ａの施解錠操作を行うことができる。
【００１９】
屋外側ハンドル装置１６は、図２に示すように、扉用ハンドル２と、扉１表面に固定され、扉用ハンドル２の下端部を回転自在に支持する下部ハンドルベース１８と、扉用ハンドル２の上端部を移動自在に保持する上部ハンドルベース１９とを有する。
【００２０】
図３に示すように、扉用ハンドル２は、ハンドル本体部５の表面をカバーユニット２０により覆って形成される。扉用ハンドル２は扉１を開く際の操作力を伝達するための強度負担部材としての機能と、造形的機能の双方を有しており、上記ハンドル本体部５は扉１操作時の荷重を負担するに十分な強度、剛性を有するように形成される。
【００２１】
このハンドル本体部５の中央部にはグリップ部１３が形成されるとともに、上端部にはラッチ解除部１４が、下端部には下部ハンドルベース１９に連結されて回転ヒンジを提供するヒンジ突部５ａが形成される。
【００２２】
上下部ハンドルベース１８、１９に取り付けた状態でハンドル本体部５を図２において反時計回りに回転操作すると、ラッチ解除部１４が左側に移動し、上述したように、副錠１５Ｂのラッチが解除される。  
【００２３】
カバーユニット２０は、扉用ハンドル２の表面部の造形を提供するとともに、認証装置の認証情報を取得する入力装置として機能するもので、本例において、ハンドル本体の表面部全体を覆い、扉用ハンドル２の概ね全体の表面部の造形がカバーユニット２０により提供される。
【００２４】
なお、本例においては、図３に示すように、扉用ハンドル２の全体をカバーユニット２０により覆った場合を示しているが、ハンドル本体部５の一部に意匠面を形成し、残部の造形をカバーユニット２０により形成することもできる。
【００２５】
本例において認証装置は暗証符号を使用した認証装置であり、カバーユニット２０には、暗証符号を入力するための入力装置が組み込まれ、カバー体４には、入力装置を構成するための複数の構成部品７を固定するためのユニットベース部６が形成される。
【００２６】
図４に示すように、入力装置は、ユニットベース部６の裏面に実装されるＬＥＤスイッチ基板１１、およびスイッチ２１と、ユニットベース部６の表面に固定される拡散板２２、センサ基板１２、および認証情報入力指示部３を構成するのテンキーパネル９とを有する。  
【００２７】
テンキーパネル９は通常はユニットベース部６、およびこのユニットベース部６の表面に固定される部品を外部から透視できない程度の暗色をなすことから、ユニットベース部６を外部の視界から遮る目隠し用プレート８として機能し、照射光を照射すると予め形成されていた数字、図柄等が現れるように形成される。
【００２８】
ＬＥＤスイッチ基板１１は、上記スイッチ２１の押下により発光し、図７に示すように、上記テンキーパネル９の数字、図柄等を照らし、外部に表示させる。
【００２９】
拡散板２２は、上記ＬＥＤスイッチ基板１１上のＬＥＤ１１ａからの発光光を各ＬＥＤ１１ａに対応するレンズ部２２ａにより対応するテンキーパネル９の数字、図柄等の範囲に集光し、センサ基板１２は、発光した数字、図柄等を利用者が触れた際の接触位置を検出する。
【００３０】
テンキーパネル９をカバー体４の一般面に合わせて表面への凹凸発生を防止するために、ユニットベース部６はカバー体４の表面から裏面側に後退した位置に形成される。テンキーパネル９をカバー体４の表面と同一面に配置するために、周壁の開口端にはテンキーパネル９を固定するための段差部６ａが形成される。
【００３１】
また、ユニットベース部６には、表裏に配置される構成部品７を直接固定した状態で実装基板間、あるいは機械部品間の機能的結合を保証してユニット基板としての機能を実現することができるように、ＬＥＤスイッチ基板１１からの発光光を通過させて対応する拡散板２２のレンズ部２２ａに導光するための導光開口１０、ＬＥＤスイッチ基板１１上の基板スイッチ１１ｂを操作するためのスイッチ２１をユニットベース部６の表面に露出させるためのスイッチ開口６ｂ、ＬＥＤスイッチ基板１１上の基板コネクタ１１ｃとセンサ基板１２の基板コネクタ１２ａとを連結するためのコネクタ開口６ｃが開設される。
【００３２】
以上のカバーユニットは、図４、６に示すように、ユニットベース部６の裏面にＬＥＤスイッチ基板１１を、表面に拡散板２２を配置した後、ビス２３を使用してユニットベース部６に固定し、さらに、ＬＥＤスイッチ基板１１の基板コネクタ１１ｃにセンサ基板１２の基板コネクタ１２ａをプラグイン接続した状態で両面粘着シート２４を使用してテンキーパネル９とセンサ基板１２を接合し、同時にテンキーパネル９をユニットベース部６の段差部６ａに固定する。
【００３３】
以上のようにして認証装置の入力装置が組み込まれてユニット化されたカバーユニット２０は、図３に示すように、ハンドル本体部５に固定するだけで所定の機能を扉用ハンドル２に付与することができる。取得された認証情報は、ＬＥＤスイッチ基板１１に実装された出力用コネクタ１１ｄから引き出されて適宜位置に配置した認証判定部により判定される。
【００３４】
なお、以上においては、カバーユニット２０に認証装置の入力装置のみを組み込んだ場合を示したが、認証判定部をともに組み込んで認証装置全体を構成したり、あるいは電気錠１５の施解錠制御部を組み込むこともできる。
【００３５】
以上のカバーユニットのテンキーパネル９は、図７に示すように、ハンドル本体部５のグリップ部１３を握った状態で親指２５によりテンキーパネル９上の数字、図柄等に接触できる位置に配置される。
【００３６】
したがって本例において、グリップ部１３を握った状態で親指２５でスイッチ２１を押下して数字等をテンキーパネル９に表示させた後、所定の暗証番号に接触する。暗証番号に対する認証が成立すると、電気錠１５は解錠されて、その後、扉用ハンドル２を手前に引くだけでラッチが解除されて扉１を開放することができる。
【符号の説明】
【００３７】
１        扉
２        扉用ハンドル
３        認証情報入力指示部
４        カバー体
５        ハンドル本体部
６        ユニットベース部
７        構成部品
８        目隠し用プレート
９        テンキーパネル
１０      導光開口
１１      ＬＥＤスイッチ基板
１２      センサ基板
１３      グリップ部
１４      ラッチ解除部
１５      電気錠
【図１】
2020033736.tif 000003
【図２】
2020033736.tif 000004
【図３】
2020033736.tif 000005
【図４】
2020033736.tif 000006
【図５】
2020033736.tif 000007
【図６】
2020033736.tif 000008
【図７】
2020033736.tif 000009